(57)【要約】【課題】コンパクトで消音性能にすぐれた電気掃除機を提供することを目的とする。【解決手段】吸引した塵埃を収容する集塵室１４と、塵埃の吸引力を発生させる電動送風機１２を内蔵した送風機室２０と、送風機室２０からの排気を外部へ排出する排気管２４と、送風機室２０とは排気管２４および隔壁２１により分離されコードリール２２を内蔵したコードリール室２３とを備え、前記排気管２４は、送風機室２０よりも排気通路を縮小するとともにコードリール２２のコア部２２ｃを構成したものである。これにより、排気通路は直線的に設けることができるとともに、送風機室２０と排気管２４で膨張型消音器の原理で消音でき、しかも排気管２４がコードリール２２のコア部２２ｃを構成し、全体構成上、コンパクトで消音性能にすぐれたものとなる。【選択図】図２
2006061297.tif 000002
【特許請求の範囲】
【請求項１】
吸引した塵埃を収容する集塵室と、塵埃の吸引力を発生させる電動送風機を内蔵した送風機室と、送風機室からの排気を外部へ排出する排気管と、送風機室とは排気管および隔壁により分離されコードリールを内蔵したコードリール室とを備え、前記排気管は、送風機室よりも排気通路を縮小するとともにコードリールのコア部を構成した電気掃除機。
【請求項２】
排気管にはコードリール室と連通する小孔を設けた請求項１に記載の電気掃除機。
【請求項３】
送風機室とコードリール室とを分離する隔壁にはコードリール室と連通する連通孔を設けた請求項１に記載の電気掃除機。
【請求項４】
コードリール室の外郭は複数の排気小孔を設け、この外郭は排気管の排気出口をも覆う構成とした請求項１〜３のいずれか１項に記載の電気掃除機。
【請求項５】
コードリール室の外郭にエジェクト効果により外気を取り入れる冷却孔を設けた請求項１〜３のいずれか１項に記載の電気掃除機。
【請求項６】
吸引した塵埃を収容する集塵室と、塵埃の吸引力を発生させる電動送風機を内蔵した送風機室と、送風機室と連通する排気管と、送風機室とは排気管および隔壁により分離されコードリールを内蔵したコードリール室とを備え、前記排気管は、その排気出口を閉じて消音空間とするとともにコードリールのコア部を構成し、前記コードリール室は、送風機室からの排気を通して外部に排出するように構成した電気掃除機。
【請求項７】
外部へ排出する排気をすべて通過させるフィルタを送風機室内に設置した請求項１〜６のいずれか１項に記載の電気掃除機。
【請求項８】
少なくともコードリール室には吸音材を配置した請求項１〜７のいずれか１項に記載の電気掃除機。
【請求項９】
集塵室、送風機室、コードリール室を直線的に配置した請求項１〜８のいずれか１項に記載の電気掃除機。
【発明の詳細な説明】
【技術分野】
【０００１】
本発明は、電動送風機を内蔵した吸引型の家庭用の電気掃除機に関するものである。
【背景技術】
【０００２】
従来、この種の電気掃除機の消音化に関しては、電動送風機からの排気通路を迂回させるとともにコードリール室を消音空間として利用することにより消音する方法が知られている（例えば、特許文献１参照）。
【特許文献１】特開平５−９５８６０号公報
【発明の開示】
【発明が解決しようとする課題】
【０００３】
しかしながら、前記従来の構成では、排気通路を迂回させなければならず、また、コードリール室を消音空間として利用してはいるがその構成について特別な配慮がなく、全体構成上、コンパクトで消音性能にすぐれたものとは言えなかった。
【０００４】
本発明は、前記従来の課題を解決するもので、コンパクトで消音性能にすぐれた電気掃除機を提供することを目的とする。
【課題を解決するための手段】
【０００５】
前記従来の課題を解決するために、本発明の電気掃除機は、吸引した塵埃を収容する集塵室と、塵埃の吸引力を発生させる電動送風機を内蔵した送風機室と、送風機室からの排気を外部へ排出する排気管と、送風機室とは排気管および隔壁により分離されコードリールを内蔵したコードリール室とを備え、前記排気管は、送風機室よりも排気通路を縮小するとともにコードリールのコア部を構成したものである。
【０００６】
これにより、排気通路は直線的に設けることができるとともに、送風機室と排気管で膨張型消音器の原理で消音でき、しかも排気管がコードリールのコア部を構成し、全体構成上、コンパクトで消音性能にすぐれたものとなる。
【発明の効果】
【０００７】
本発明の電気掃除機は、コンパクトで消音性能にすぐれた電気掃除機が実現できる。
【発明を実施するための最良の形態】
【０００８】
第１の発明は、吸引した塵埃を収容する集塵室と、塵埃の吸引力を発生させる電動送風機を内蔵した送風機室と、送風機室からの排気を外部へ排出する排気管と、送風機室とは排気管および隔壁により分離されコードリールを内蔵したコードリール室とを備え、前記排気管は、送風機室よりも排気通路を縮小するとともにコードリールのコア部を構成した電気掃除機とすることにより、排気通路は直線的に設けることができるとともに、送風機室と排気管で膨張型消音器の原理で消音でき、しかも排気管がコードリールのコア部を構成し、全体構成上、コンパクトで消音性能にすぐれたものとなる。
【０００９】
第２の発明は、特に、第１の発明において、排気管にはコードリール室と連通する小孔を設けたことにより、特定周波数の消音に特に優れた効果が得られ、聴感にすぐれた電気掃除機が実現できる。
【００１０】
第３の発明は、特に、第１の発明において、送風機室とコードリール室とを分離する隔壁にはコードリール室と連通する連通孔を設けたことにより、コードリール室の利用により消音空間を更に拡大でき、コンパクトで消音性能にすぐれた電気掃除機が実現できる。
【００１１】
第４の発明は、特に、第１の発明において、コードリール室の外郭は複数の排気小孔を設け、この外郭は排気管の排気出口をも覆う構成としたことにより、低騒音で、排気速度の小さな快適性にすぐれた電気掃除機が実現できる。
【００１２】
第５の発明は、特に、第１〜第３のいずれか１つの発明において、コードリール室の外郭にエジェクト効果により外気を取り入れる冷却孔を設けたことにより、低騒音で、しかもコード冷却性にすぐれた電気掃除機が実現できる。
【００１３】
第６の発明は、吸引した塵埃を収容する集塵室と、塵埃の吸引力を発生させる電動送風機を内蔵した送風機室と、送風機室と連通する排気管と、送風機室とは排気管および隔壁により分離されコードリールを内蔵したコードリール室とを備え、前記排気管は、その排気出口を閉じて消音空間とするとともにコードリールのコア部を構成し、前記コードリール室は、送風機室からの排気を通して外部に排出するように構成した電気掃除機とすることにより、消音空間を拡大でき、コンパクトで消音性能にすぐれた電気掃除機が実現できる。
【００１４】
第７の発明は、特に、第１〜第６のいずれか１つの発明において、外部へ排出する排気をすべて通過させるフィルタを送風機室内に設置したことにより、排気がフィルタを通過する際に生じる気流騒音も消音され、コンパクトで消音性能にすぐれた電気掃除機が実現できる。
【００１５】
第８の発明は、第１〜第７のいずれか１つの発明において、少なくともコードリール室には吸音材を配置したことにより、コードリール室での消音性能がすぐれたものとなる。
【００１６】
第９の発明は、第１〜第８のいずれか１つの発明において、集塵室、送風機室、コードリール室を直線的に配置したことにより、低騒音で、かつ圧損が小さく吸込み力にすぐれた電気掃除機が実現できる。
【００１７】
以下、本発明の実施の形態について図面を参照しながら説明する。なお、本実施の形態によって本発明が限定されるものではない。
【００１８】
（実施の形態１）
図１〜図６は、本発明の実施の形態１における電気掃除機を示すものである。
【００１９】
図１に示すように、本実施の形態における電気掃除機は、ほぼ円筒形状の掃除機本体１１内に、吸引した塵埃を収容する紙袋１０内蔵の集塵室１４と、塵埃の吸引力を発生させる電動送風機１２を内蔵した送風機室２０と、送風機室２０からの排気を外部へ排出する排気管２４と、送風機室２０とは排気管２４および隔壁２１により分離されコードリール２２を内蔵したコードリール室２３とを備えている。そして、前記排気管２４は、送風機室２０よりも排気通路を縮小するとともにコードリール２２のコア部（後記）を構成しているものである。
【００２０】
また、コードリール２２の回転軸方向と電動送風機１２の回転軸方向は一致しており、掃除機本体１１の中で集塵室１４、電動送風機１２、コードリール室２３が直線的に配置され、排気管２４は掃除機本体１１のほぼ中心に設置されている。
【００２１】
さらに、図１に基づき説明すると、掃除機本体１１の吸引口１５と電動送風機１２の吸気口１２ａの間には、塵埃を分離蓄積する紙袋１０を内蔵した集塵室１４が配置されている。吸引口１５には、ホース１６、延長管１７が接続され、延長管１７の先端に床面１３の塵埃を吸引清掃する吸口具１８が接続されている。電動送風機１２は、給排気のシールを兼ねた防振ゴム１９で送風機室２０の内部に支持され、排気口１２ｂが設けられている。隔壁２１は送風機室２０の下流側において、掃除機本体１１内を仕切り排気管２４とともにコードリール室２３を形成している。また、送風機室２０内には、微塵埃を捕集するフィルタ２６を、送風機室２０の内周壁と隙間無く密着して設置し、電動送風機１２の排気は全てこのフィルタ２６を通過し排気管２４から排気される構成としている。
【００２２】
コードリール２２は、図２、図３に示すように、給電コード２２ａが巻かれたスプール部２２ｂと、スプール部２２ｂの中心に位置した排気管２４の胴部２４ｃよりなるコア部２２ｃから構成され、スプール部２２ｂを駆動するためのスプリング２２ｄがスプール部２２ｂとコア部２２ｃの間に装着されている。コードリール２２のコア部２２ｃを構成する排気管２４の一端の排気出口２４ａは外部空間に開放され、他端の排気入口２４ｂは隔壁２１を貫通し送風機室２０に連通している。なお、隔壁２１とフィルタ２６の間には隙間２７があり、フィルタ２６の面積を有効に利用し圧損が低減できるように構成されている。また、図示していないが、排気管２４の内壁、送風機室２０の内壁、隔壁２１の送風機室２０側には吸音材が貼り付けられている。排気流の流れは矢印Ａ、塵埃を含む空気の流れは矢印Ｃで示す。
【００２３】
また、図４に示すように、コードリール室２３の外郭２３ａには給電コード２２ａの出入り口２３ｂが設置され、給電コード２２ａの引き出し、収納を可能としている。
【００２４】
以上のように構成された電気掃除機について、以下その動作、作用を説明する。
【００２５】
電動送風機１２を駆動すると吸引力が生じ、吸口具１８から床面１３上の塵埃が集塵され紙袋１０で塵埃が分離蓄積される。電動送風機１２からの排気はフィルタ２６を通過し排気管２４から外部に排気される。
【００２６】
電動送風機１２から発生する騒音に関しては、排気口１２ｂから送風機室２０へ放射され、一旦、拡大しその後排気管２４で縮小されるため、膨張型消音器の原理で消音される。排気通路を迂回させその間に消音する構成に比べ、集塵室１４、送風機室２０、排気管２４をほぼ直線的に配置することができコンパクトな形状でしかも圧損が低減され吸引力にも優れ、空気流による２次的に発生する気流騒音の発生も小さい。微塵埃を捕集するフィルタ２６も送風機室２０に設置しているため、フィルタ２６を通過する際に生じる気流騒音も排気管２４で消音され、従来、多くの電気掃除機でみられる排気口に格子やフィルタを設置する方式に比べ気流騒音の発生は小さい。排気管２４はコードリール２２のコア部２２ｃを構成するため、コア部２２ｃの有効な利用ができ省スペースな構成になる。また、コードリール室２３は送風機室２０と完全に分離されているため、コードの出入り口２３ｂから騒音が直接外部に透過することも無く、排気が漏れることによる２次的な気流音が発生することも無い。
【００２７】
図５は、本実施の形態における他の構成例を示しており、排気管２４の胴部２４ｃに複数の小孔２９を設け、排気管２４内の中空部と、コードリール室２３における空間２８とを連通している。これにより、小孔２９の大きさと空間２８の容積などで決まる周波数の騒音の吸音ができ、排気管２４から外部に透過する騒音に対して消音効果が得られる。なお、小孔２９に薄膜（図示せず）を貼り気流を出入り口２３ｂに漏れないような構成にしても、薄膜がごく薄ければ消音効果を生じさせることができる。また、適当な薄膜厚に設定することにより、吸音、消音する周波数を制御することも可能である。コードリール室２３内部に吸音材３０を貼り付け、さらに消音効果をよくしている。
【００２８】
図６は、本実施の形態におけるさらに他の構成例を示しており、排気管２４内の中空部にハニカム状の整流格子３１を取り付けたもので、排気管２４から直接透過する電動送風機１２の高周波の騒音を低減することができる。
【００２９】
（実施の形態２）
図７、図８は、本発明の実施の形態２における電気掃除機の排気部分の構成を示すものである。実施の形態１と同一要素については同一符号を付して説明を省略する。
【００３０】
本実施の形態では、実施の形態１の隔壁２１に相当する隔壁３２に、連通孔３３を設けコードリール室２３と送風機室２０を連通させている。隔壁３２は、図８に示すように、複数の支柱３２ａで構成され、連通孔３３が大きく開いている。
【００３１】
なお、コードリール２２のスプリング２２ｄは、一端がスプール部２２ｂに他端が排気管２４の外壁に固定されている。給電コード２２ａを引き出すとスプール部２２ｂが回転しスプリング２２ｄを巻く。給電コード２２ａを引き出した状態では給電コード２２ａはコード抑え（図示せず）で抑えられている。給電コード２２ａを巻き取り収納するときには、コード抑えを解除すれば、巻かれていたスプリング２２ｄが伸びスプール部２２ｂを回転駆動し給電コード２２ａを巻き取る。コードリール室２３の内部には吸音材（図示せず）が貼り付けられている。
【００３２】
以上のような構成では、コードリール室２３の空間が送風機室２０とともに騒音の拡大空間として働き、膨張型マフラーの膨張部をより大きくすることになり、より優れた消音効果を得ることができる。この場合、コード抑えで出入り口（図４の２３ｂ）を密閉する構成とすれば消音効果をさらに良くすることが可能である。その際、図７で示すように、コードリール２２と排気管２４にそれぞれ通風孔２２ｆと２４ｄを設けておけば排気流が矢印Ｂのように流れ給電コード２２ａを冷却することができる。
【００３３】
（実施の形態３）
図９は、本発明の実施の形態３における電気掃除機の排気部分の構成を示すものである。実施の形態１と同一要素については同一符号を付して説明を省略する。
【００３４】
本実施の形態では、コードリール室３４の外郭３４ａは多数の排気小孔３５を有し、排気管２４の排気出口２４ａをも覆う形状を有している。排気管２４の排気出口２４ａと対峙する外郭側壁３４ｂと排気出口２４ａの間は排気流が減速するための空間が設けられている。そして、外郭３４ａの内部には排気小孔３５を覆うように低圧損な整流用の粗いメッシュ３６が設置され排気を拡散している。
【００３５】
以上のような構成では、排気管２４からの排気流が広い範囲に拡散し、排気小孔３５から外部に排気されるため、排気流速が小さく、床面１３の塵埃を吹き飛ばすことを防止し、また、吹き飛ばされた塵埃が人体に直接あたる際の不快感を軽減できる。
【００３６】
（実施の形態４）
図１０〜図１４は、本発明の実施の形態４における電気掃除機の排気部分の構成を示すものである。実施の形態１、３と同一要素については同一符号を付して説明を省略する。
【００３７】
本実施の形態では、図１０、図１１に示すように、実施の形態１の排気管２４に相当する排気管３７は、その一端３７ａを閉じ消音空間３９とし、代わりに隔壁２１に複数個の連通孔３８を設けたものである。なお、消音空間３９には吸音材（図示せず）が貼り付けあるいは充填されている。
【００３８】
以上のような構成では、消音空間３９は送風機室２０を拡大させ、膨張空間を広げ、消音効果を大きくすることができる。また、この消音空間３９を利用してヘルムホルツ型などの共鳴型消音器を構成し、電動送風機１２から発生する一定の周波数を有した風きり音を低減することも可能である。排気は連通孔３８を通過し、外郭３４ａの排気小孔３５から拡散排気される。
【００３９】
図１２〜図１４は、本実施の形態における他の構成例を示しており、コードリール２２のコア部２２ｃに排気通路４０を設けている。排気通路４０と外周側に対峙するスプール部２２ｂの内周壁４１の一部はメッシュ状の通風路４２を構成している。コードリール室２３の外郭４３には中心部に排気筒２５を有し、外郭４３の内部には吸音材３０ｄが貼り付けられている。
【００４０】
以上の構成では、給電コード２２ａに直接排気流があたり、給電コード２２ａの冷却性能が改善される。
【００４１】
（実施の形態５）
図１５、図１６は、本発明の実施の形態５における電気掃除機の排気部分の構成を示すものである。実施の形態１と同一要素については同一符号を付して説明を省略する。
【００４２】
本実施の形態では、図１５に示すように、実施の形態１の排気管２４に相当する排気管４４の外周壁４５を構成するように、コードリール２２のスプール部２２ｂの内周壁２２ｅを露出させ直接排気流が内周壁２２ｅにあたるようにしたものである。
【００４３】
以上のような構成では、コードリール室２３に排気を流さずに給電コード２２ａの冷却性能を向上させることができる。なお、図のように、排気管４４の中央部に、吸音材で構成した円柱状のコーン４６を設置していることにより、外周壁４５側の排気流速を高め、スプール部２２ｂの内周壁２２ｅの冷却効果を改善すると同時に排気の消音効果を向上させている。
【００４４】
図１６は、本実施の形態における他の構成例を示しており、排気管２４と外郭２３ａとの間に、コードリール室２３内と連通するスリット４７を形成し、共鳴型の消音器とすると同時に、外郭２３ａにコード冷却用の冷却孔４８を設けエジェクト効果により矢印Ｄで示すように外気をコードリール室２３に流入させ給電コード２２ａの冷却を行っている。
【産業上の利用可能性】
【００４５】
以上のように、本発明にかかる電気掃除機は、コンパクトで消音性能にすぐれたものであるので、特に、家庭用掃除機として最適である。
【図面の簡単な説明】
【００４６】
【図１】本発明の実施の形態１における電気掃除機の全体構成を示す図
【図２】同電気掃除機の掃除機本体部分を示す断面図
【図３】同電気掃除機のコードリール室部分を示す断面図
【図４】同コードリール室部分の背面図
【図５】（ａ）同電気掃除機の他の構成例を示す断面図（ｂ）（ａ）における排気管の断面図
【図６】（ａ）同電気掃除機のさらに他の構成例を示す断面図（ｂ）（ａ）における排気管の断面図
【図７】本発明の実施の形態２における電気掃除機のコードリール室部分を示す断面図
【図８】同コードリール室部分を示す側断面図
【図９】本発明の実施の形態３における電気掃除機のコードリール室部分を示す断面図
【図１０】本発明の実施の形態４における電気掃除機のコードリール室部分を示す断面図
【図１１】同コードリール室部分を示す側断面図
【図１２】同電気掃除機の他の構成例を示す断面図
【図１３】同電気掃除機における排気管の断面図
【図１４】同電気掃除機のコードリール部分を示す断面図
【図１５】本発明の実施の形態５における電気掃除機のコードリール室部分を示す断面図
【図１６】同電気掃除機の他の構成例を示す断面図
【符号の説明】
【００４７】
１１  掃除機本体
１２  電動送風機
１４  集塵室
２１、３２  隔壁
２２  コードリール
２２ｂ  スプール部
２２ｃ  コア部
２３、３４  コードリール室
２３ａ、３４ａ  外郭
２４、３７  排気管
２６  フィルタ
２９  小孔
３３  連通孔
４８  冷却孔
【図１】
2006061297.tif 000003
【図２】
2006061297.tif 000004
【図３】
2006061297.tif 000005
【図４】
2006061297.tif 000006
【図５】
2006061297.tif 000007
【図６】
2006061297.tif 000008
【図７】
2006061297.tif 000009
【図８】
2006061297.tif 000010
【図９】
2006061297.tif 000011
【図１０】
2006061297.tif 000012
【図１１】
2006061297.tif 000013
【図１２】
2006061297.tif 000014
【図１３】
2006061297.tif 000015
【図１４】
2006061297.tif 000016
【図１５】
2006061297.tif 000017
【図１６】
2006061297.tif 000018